(57)【要約】【課題】本発明は、浄化性能の安定性と経済性に優れた、移動式の排水処理設備を提供することを目的とする。【解決手段】本発明は、流量調整槽１１を有した排水処理槽１と、排水処理槽１に酸素を供給するためのブロワ２とを、輸送用コンテナ３の内部に備えた、移動可能な排水処理ユニットであって、排水処理槽１は、嫌気槽と好気槽を備え、輸送用コンテナ３は、排水処理槽１のメンテナンスを行うための点検口３３を備えた移動式排水処理システム。流量調整槽１１は、別の外郭で構成されてもよい。【選択図】図１
2015039669.tif 000002
【特許請求の範囲】
【請求項１】
流量調整槽を有した排水処理槽と、前記排水処理槽に酸素を供給するためのブロワとを、
輸送用コンテナの内部に備えた、移動可能な排水処理ユニットであって、
前記排水処理槽は、嫌気槽と好気槽を備え、前記輸送用コンテナは、前記排水処理槽のメンテナンスを行うための点検口を備えた移動式排水処理システム。
【請求項２】
前記流量調整槽は、前記排水処理槽を構成する外郭と別の外郭で構成された請求項１記載の移動式排水処理システム。
【請求項３】
前記排水処理槽は合成樹脂の外郭で構成され、前記外郭は上下２つの外郭が互いにフランジ接合され、前記フランジ接合部分と輸送用コンテナの底面が締結具により締結された請求項１または請求項２に記載の移動式排水処理システム。
【請求項４】
前記ブロワと排水処理槽を繋ぐ空気配管の一部または全部が、前記排水処理槽の水面よりも上方に備えられた請求項１から請求項３のいずれかに記載の移動式排水処理システム。
【発明の詳細な説明】
【技術分野】
【０００１】
本発明は、輸送用コンテナに排水処理槽とブロワを備えた移動可能な排水処理システムに関する。
【背景技術】
【０００２】
排水処理設備が無い場所において、イベントや災害等の緊急対応のために短期間のみ使用されたり、キャンプ等の目的により季節限定で使用される構成であって、コンテナ内に排水処理槽（浄化槽）を組み込んだ移動可能な簡易式のトイレシステムが提供されている。（例えば、特許文献１、２参照）。
【先行技術文献】
【特許文献】
【０００３】
【特許文献１】特開平１１−２１９７２号公報
【特許文献２】特開平１１−９０４６５号公報
【発明の概要】
【発明が解決しようとする課題】
【０００４】
特許文献１の構造では、水洗トイレと、該水洗トイレからの屎尿を貯留する屎尿槽と、該屎尿槽からの屎尿を貯留する浄化槽と、前記水洗トイレに該浄化槽で処理された処理水を洗浄水として移送する循環ポンプとを車両に備えた移動式トイレが開示されている。
また、特許文献２には、水洗トイレユニットの手洗い台、洋式便器、シャワーユニット、洗濯ユニット、炊事ユニットなどにおいて発生した生活排水を各ユニット毎の汚水槽に収容し、各汚水槽に設けたカッタポンプと合併浄化槽とを汚水圧送輸送管によって汚水圧送可能に連結した構成が開示されている。この構成では、各ユニットや合併浄化槽をコンテナに収容して車両で輸送可能とされている。
【０００５】
しかし、前記特許文献１、２に記載の技術では、コンテナ内の排水処理槽への排水の供給がポンプの圧送によるものであり、排水処理槽の受け入れ能力に比べ、ポンプの圧送による供給能力の方が圧倒的に大きいため、排水処理槽が所定の浄化機能を発揮できず、十分な処理ができないうちに処理水を押し流してしまう恐れがある。
【０００６】
本発明は、前記の従来の問題点を鑑みてなされたものであって、適切な浄化処理ができる移動式の排水処理システムを提供することを目的とする。
【課題を解決するための手段】
【０００７】
本発明は、前記課題を解決する手段として、以下の構成を有する。
（１）本発明は、流量調整槽を有した排水処理槽と、前記排水処理槽に酸素を供給するためのブロワとを、輸送用コンテナの内部に備えた、移動可能な排水処理ユニットであって、前記排水処理槽は、嫌気槽と好気槽を備え、前記輸送用コンテナは、前記排水処理槽のメンテナンスを行うための点検口を備えた移動式排水処理システムに関する。
【０００８】
（２）本発明において、前記流量調整槽は、前記排水処理槽を構成する外郭とは、別の外郭で構成されたことが好ましい。
（３）本発明において、前記排水処理槽は合成樹脂の外郭で構成され、前記外郭は上下２つの外郭が互いにフランジ接合され、前記フランジ接合部分と輸送用コンテナの底面が締結具により締結されたことが好ましい。
（４）本発明において、前記ブロワと排水処理槽を繋ぐ空気配管の一部または全部が、前記排水処理槽の水面よりも上方に備えられたことが好ましい。
【発明の効果】
【０００９】
本発明によれば、コンテナ内の排水処理槽は、ポンプの圧送があっても、流量調整槽によって流量調整された排水が適量供給されて排水処理槽が処理するべき所定の浄化機能を発揮でき、十分な浄化処理を行うことができるため、移動後極めて短期間で、性能の安定した移動式排水処理システムを提供できる。
特に、前回使用した後、ある程度排水処理槽の中に排水を浄化するための菌を残した状態で、次の現場に移動し、再度流量調節した排水を排水処理槽に供給することによって、次の現場でも嫌気槽と好気槽における早期の菌の増殖が見込め、移動後極めて短期間で、排水処理性能が安定する。
【００１０】
コンテナ内に排水処理槽を収容することにより、コンテナ無しの場合に比べ、排水処理槽の保温性能が向上し、安定した生物処理（浄化処理）を行うことができる。
夏場に設置場所が高温となる可能性の高い場合、あるいは、冬場に設置場所が低温となる可能性の高い場合であっても、嫌気槽と好気槽を備えた排水処理ユニットを用いて安定した生物処理（浄化処理）可能な温度に維持することができ、排水処理ユニット本来の性能を発揮させることができる。
更に、コンテナ上面にメンテナンス用の点検口を設けたため、広いメンテナンススペースを確保することができ、メンテナンスの作業性が向上する。
【００１１】
流量調整槽を上下２分割構造として分割部分に設けたフランジ部をコンテナ床面に締結具で締結するならば、輸送用コンテナの内部において流量調整槽を安定支持することができ、輸送用コンテナの移動時や据え付け時に流量調整槽の転倒や位置ズレなどを防止できる。
ブロアと排水処理槽を繋ぐ空気配管の一部または全部を排水処理槽の水面よりも上方に設けることにより、ブロアに対する水の浸入（逆流）を防止することができる。
【図面の簡単な説明】
【００１２】
【図１】本発明に係る移動式排水システムの第１実施例の概略水平方向断面図。
【図２】本発明に係る移動式排水システムの第１実施例の概略鉛直長手方向断面図。
【図３】本発明に係る移動式排水システムの第１実施例の概略鉛直短手方向断面図。
【図４】本発明に係る移動式排水システムの第２実施例の概略水平方向断面図。
【図５】本発明に係る移動式排水システムの第２実施例の概略鉛直長手方向断面図。
【発明を実施するための形態】
【００１３】
以下、本発明に係る移動式排水処理システムの第一実施形態について説明する。
第一実施形態の移動式排水処理システムは、流量調整槽を有した排水処理槽と、前記排水処理槽に酸素を供給するためのブロワとを、輸送用コンテナの内部に備えた、移動可能な排水処理ユニットであって、前記排水処理槽は、嫌気槽と好気槽を備え、前記輸送用コンテナは、前記排水処理槽のメンテナンスを行うための点検口を備えている。
【００１４】
本実施形態の流量調整槽とは、少なくとも流入した排水を一時的に貯水しておく貯水空間と貯水した排水を次工程に定量送水するための送水調整装置からなる。
送水調整装置は調整マスが好適に使われる。調整マスには調整セキが備わり、調整マスに送られてきた水のうち、次工程に送る水量を調整セキで計測し、それ以外は余剰水として貯水空間に戻す。
調整マスに代えて、間欠定量ポンプを送水調整装置として使ってもよい。
【００１５】
本実施形態の排水処理槽は、嫌気槽と好気槽も備え、嫌気槽では嫌気生物処理、好気槽ではブロワから供給された酸素で好気生物処理が行われる。その他、嫌気槽は排水中に含まれる夾雑物やスカム・汚泥を除去し貯留する。
このように嫌気槽は様々な物質を除去・貯留・嫌気生物処理することにより、次工程への負荷を軽減しているが、流入ピークが大きいと、貯留していた物質が次工程へ押し流されてしまう。そこで、流入ピークを緩和するために、前述の流量調整槽を備えている。
【００１６】
更に、前記流量調整槽は個別に独立槽として、別外郭で構成されてもよい。つまり、排水処理槽は流量調整槽と、嫌気槽と好気槽からなる他の処理槽と、２つ以上で構成された外郭となる。なお、この場合、流量調整槽と他の処理槽を個別に収容する輸送用コンテナも２個以上で構成されてもよい。外郭は合成樹脂製であることが好ましい。
【００１７】
一般的な排水処理槽の流量調整槽は、嫌気槽と一体で構成される場合が多いが、更にピーク流入が大きい場合には、流量調整槽を独立外郭として構成した方が、嫌気槽内部を攪拌されないため、浄化性能が安定する。
流量調整槽が独立外郭として構成されるピーク流入の目安は、排水処理槽に送水される時間最大水量が、排水処理槽の計画処理水量の（２４時間で除した）時間当たりの平均水量の２．５倍を超える場合とする。
【００１８】
本実施形態の輸送用コンテナは、海上コンテナや鉄道コンテナが好適に使われる。輸送用コンテナには様々な種類があるが、なかでも、２０フィート或いは４０フィートのドライ・コンテナが一般的に経済的にも入手し易く、好適に使われる。この輸送用コンテナに排水処理槽のメンテナンスを行うための点検口を、排水処理槽自体の点検口の位置に合わせて、加工追加する。更に、ブロワへの酸素供給用に、外気を取り入れるための換気口を設けてもよい。ドライ・コンテナの一般的な構造は、床板と側壁と天井壁とを有する細長い箱型のコンテナであり、側壁の１つに開閉自在の扉体が取り付けられた構造である。なお、本実施形態で用いる輸送用コンテナは扉体が無い構造であって、４つの側壁が固定壁とされた構造であっても良く、上述の点検口や換気口が設けられた構造であれば良い。
【００１９】
本実施形態の排水処理槽は、ＦＲＰ（繊維強化プラスチック）やＤＣＰＤ（ジシクロペンタジエン）などの合成樹脂製の外郭で構成されている。この外郭は上下２つの外郭が互いにフランジ接合されていることが好ましい。このフランジ接合部分と輸送用コンテナの底面が締結金具により締結された構造になると、輸送中などにおいて排水処理槽の転倒防止を図ることができる。
【００２０】
本実施形態のブロワは、輸送用コンテナの内部に設けられている架台や棚などに設置されていることが好ましい。
ブロアは、停電時やメンテナンス時などに停止する場合がある。この時、一時的にブロワと排水処理槽を繋ぐ空気配管内が負圧となり、排水処理槽側からブロア側に水を吸い上げる事がある。この現象が続くと、ブロア内に水が溜まり故障の原因になる。これを防止するため、ブロアの設置位置を、排水処理槽の水面よりも上方に設定することが好ましい。例えば、コンテナの内部に設けられている架台や棚の位置を排水処理槽の水面よりも上方にしておけばよい。
また、ブロアを排水処理槽の水面より上方に備えることができない場合は、ブロアと排水処理槽を繋ぐ空気配管の一部を上方に凸状に、排水処理槽の水面よりも上方になるように一旦持ち上げて配置する。この様に空気配管を配置することで、ブロアに対する水の浸入（逆流）を防止することができる。
【００２１】
電気機器類が故障した場合、コンテナ内部に電気機器類が設置してあるため、コンテナの外で使用者は電気機器類の故障に気付かない。このため、制御盤で電気機器類を制御している場合には、コンテナの外面に、故障を知らせる警報装置を設置することが好ましい。警報装置として、パトライト（登録商標）、ＬＥＤランプ、ブザー等が好適に使われる。
【００２２】
本実施形態の移動式排水処理システムは、短期間の使用を前提にしているため、地中埋設とは違って、地上設置になる。従って、本実施形態の排水処理システムは、気温の影響を受けやすく、夏場の直射日光下や冬場の積雪下のコンテナ内部の温度は排水処理槽の生物処理には適温とは言えない。そこで、コンテナの外面には遮熱塗装、コンテナの内面には断熱材を貼って、気温に対する保護を行うとよい。
更に、静かな場所に本実施形態の移動式排水処理システムを設置する場合には、排水処理槽の水流音やばっ気音、ブロワの稼動音等が気になる場合があるので、吸音材をコンテナ内部の内壁面等の必要位置に更に付加するとよい。
【実施例】
【００２３】
以下、本発明の第１の実施例を図１〜図３に基づき説明する。
図１〜図３に示す実施例の排水処理槽１は流量調整槽１１と、嫌気槽と好気槽を備えた浄化用処理槽１０を備え、２つの外郭で構成されている。前記流量調整槽１１はそれを取り囲む外郭１１Ａにより単独の槽として構成されている。浄化用処理槽１０は、嫌気槽と好気槽と沈殿槽１５と消毒槽１６をまとめて取り囲む外郭１０Ａにより１つの槽として構成され、前記嫌気槽は嫌気ろ槽第１室１２と嫌気ろ槽第２室１３から構成され、前記好気槽は担体流動槽１４から構成されている。
【００２４】
排水処理槽１は担体流動槽１４に酸素を供給するブロワ２と共に、コンテナ３の内部に設置されている。流量調整槽１１は単独の槽として外郭１１Ａにより囲まれて構成されていて、外郭１１Ａの頂部に開口部を設けることにより点検口１７が形成されている。浄化用処理槽１０は複数の槽を組み合わせた槽になるように外郭１０Ａにより区画されているので、内部に設けられている嫌気ろ槽第１室１２と嫌気ろ槽第２室１３と担体流動槽１４の上部側に対応するように外郭１０Ａの天井部に各点検口１７が形成されている。
本実施例の浄化用処理槽１０において、流量調整槽１１に近い上流側から順に嫌気ろ槽第１室１２と嫌気ろ槽第２室１３と担体流動槽１４が隣接配置され、担体流動槽１４より下流側に沈殿槽１５と消毒槽１６が配置されている。
【００２５】
コンテナ３は、例えば、海上輸送用の１２フィート・コンテナである。高さは８フィート６インチであるが、排水処理槽１の高さによっては、９フィート６インチの背高コンテナを使ってもよい。コンテナ３は、平面視長方形状の底壁３Ａと、この底壁３Ａの各辺に立設された側壁３Ｂ、３Ｃ、３Ｄ、３Ｅと、これら側壁３Ｂ、３Ｃ、３Ｄ、３Ｅの上部を接続して設けられた天井壁３Ｆからなる箱型に形成されている。
なお、コンテナ３を示す図１〜図５では、コンテナ３の輪郭を実線として描き、コンテナ３の内部に収容されている流量調整槽１１、浄化用処理槽１０などを見やすく表示するため側壁３Ｂ〜３Ｅと天井壁３Ｆを部分的に透過して流量調整槽１１、浄化用処理槽１０などを実線で示すように透過表示した。また、これらの図に表示した流量調整槽１１、浄化用処理槽１０なども部分的に見やすくするために一部断面として描いている。
【００２６】
本実施例の流量調整槽１１は、縦長の槽を囲む上面開口型の外郭１１Ａからなる単独槽として構成され、その内底部に揚水ポンプ１１１が設けられ、内上部に送水調整装置１１２が設けられている。前記揚水ポンプ１１１から上方に延在するように送水管１１３が設けられ、該送水管１１３の上端部が送水調整装置１１２に接続されている。前記揚水ポンプ１１１の作用により流量調整槽１１内の底部側に収容されている排水を送水管１１３を介し送水調整装置１１２に送ることができる。送水調整装置１１２は、移送管１１５を介し嫌気ろ槽第１室１２の上部に接続されていて、送水調整装置１１２を介し嫌気ろ槽第１室１２の上部側に流量調整槽１１から目的量の排水を供給できるようになっている。
【００２７】
流量調整槽１１を区画する外郭１１Ａは、合成樹脂製であり、上下に２分割された構造とされ、分割部分には外郭１１Ａの外側に延出するフランジ部１１ａが流量調整槽１１の全周にわたり形成されている。外郭１１Ａを２分割した位置に形成されているフランジ部１１ａは流量調整槽１１の全周に形成されているが、そのフランジ部１１ａにおいて複数位置（例えば、流量調整槽１１の周り４箇所）にリング状の金具３１が取り付けられている。
前記フランジ部１１ａに取り付けられた各金具３１に対応する床面位置にもリング状の金具３１が取り付けられ、これらの金具３１、３１をターンバックル（締結具）３２で接続して締め込みすることで流量調整槽１１がコンテナ３の床面上に安定支持されている。即ち、流量調整槽１１の周方向複数位置の金具３１をそれぞれターンバックル３２を介し床面に接続して固定することで、流量調整槽１１の転倒防止および安定保持がなされている。
【００２８】
また、浄化用処理槽１０を区画する外郭１０Ａについても、合成樹脂製であり、上下に２分割された構造とされ、分割部分には外郭１０Ａの外側に延出するフランジ部１０ａが浄化用処理槽１０の全周にわたり形成されている。外郭１０Ａを２分割した位置に形成されているフランジ部１０ａは浄化用処理槽１０の全周に形成されているが、そのフランジ部１０ａにおいて複数位置（例えば、浄化用処理槽１０の周囲に４箇所）にリング状の金具３１が取り付けられている。
前記フランジ部１０ａに取り付けられた各金具３１に対応する床面位置にもリング状の金具３１が取り付けられ、これらの金具３１、３１をターンバックル３２で接続して締め込みすることで浄化用処理槽１０がコンテナ３の床面上に安定支持されている。
【００２９】
コンテナ３の天井壁３Ｆには、排水処理槽１とブロワ２をメンテナンスするための複数の点検口３３が設けられ、各点検口３３は、排水処理槽１に形成されている各点検口１７の各々の位置に合わせて配置される。この実施例では、流量調整槽１１の上部側の点検口１７と、嫌気ろ槽第１室１２の上部側の点検口１７と、嫌気ろ槽第２室１３の上部側の点検口１７と、担体流動槽１４の上部側の点検口１７に、それぞれ対応するように点検口３３が設けられている。
コンテナ３内において、流量調整槽１１の側方上部側に側壁３Ｅに支持されて棚３６が設置されており、この棚３６の上にブロワ２が据え付けられている。
即ち、コンテナ３の側壁３Ｅの一部であってブロア２の設置位置の側方に換気口３４が形成され、前記ブロワ２の吸気用に外気を取り入れる換気口３４に、雨等が進入しないように、ガラリ３４Ａが図３に示すように設けられている。
【００３０】
また、コンテナ３の内面側には、内面ほぼ全体を覆うように断熱材３５が貼り付けられており、コンテナ３の内部温度をコンテナ３の外部気温の変動に対してできるだけ保護できるように構成されている。断熱材３５を内面側に貼り付けておくことで、夏場等においてコンテナ３の内部温度が過剰に上昇しないように、冬場等においてコンテナ３の内部温度が過度に低下しないように保護することができる。コンテナ３の内部温度を高くし過ぎないことと、低くし過ぎないことにより嫌気槽と好気槽における安定した生物処理を図ることができる。
【００３１】
前記ブロワ２と、排水処理槽１の流量調整槽１１内と担体流動槽１４内に各々設置された散気装置とが空気配管２１で接続されている。この空気配管２１は前記ブロア２と流量調整槽１１との間において、前記ブロア２と浄化用処理槽１０との間において上方に凸形状を描くように配置されており、空気配管２１のいずれの位置も、排水処理槽１の水面よりも上方になるように設置されている。即ち、ブロワ２に空気配管２１が接続された位置よりも上方に突出するように凸部２１Ａが形成され、この凸部２１Ａの下端部が横向きに分岐延出されて流量調整槽１１の上部側に設けられている配管１１Ｂと担体流動槽１４の上部側に設けられている配管１４Ａにそれぞれ接続されている。
【００３２】
担体流動槽１４の上部に設けられている配管１４Ａは、担体流動槽１４の側部に沿って下方に延在され、担体流動槽１４の底部側に配置された散気部材１４Ｂに接続されている。よってブロア２から送り出した空気を空気配管２１を介し散気部材１４Ｂに送り、担体流動槽１４の底部から噴出させることができる。
流量調整槽１１に設けられた配管１１Ｂは流量調整槽１１の内側面に沿って下方に延在され、流量調整槽１１の下部に設けられた散気部材１１Ｃに接続されている。
また、流量調整槽１１の上部側の配管１１Ｂにブロア２から空気配管２１を介し送られた空気を流量調整槽１１の下部の散気部材１１Ｃから噴出させることができる。
【００３３】
送水調整装置１１２は、ボックス型の調整マス１１２Ａとこの調整マス１１２Ａの底部から流量調整槽１１の底部に達するように延在された戻管１１２Ｂが設けられている。また、調整マス１１２Ａにおいて前記嫌気ろ槽第１室１２に対面する側に移送管１１５が接続されている。
調整マス１１２Ａの内部は、調整セキ１１２ａと交互に互い違いに上下にずらして配置された複数の板状の整流板１１２ｂ、１１２ｃにより構成され、整流板１１２ｂにより、複数の調整室と複数の整流室に分割されている。複数の調整室のうち第１番目の調整室に戻管１１２Ｂが接続され、第２番目の調整室に揚水ポンプ１１１の送水管１１３が接続され、揚水ポンプ１１１から排水が供給される。
【００３４】
揚水ポンプ１１１から供給される排水は勢いが強いため、水面が波打ってしまう。これを整流し下流側に供給するため、整流板が設けられる。第２番目の調整室と第１番目の整流室を仕切る整流板１１２ｂは調整マス１１２Ａの底部側にのみ連通孔を形成するように設けられている。第１番目の整流室と第２番目の整流室を仕切る整流板１１２ｃは調整マス１１２Ａの上部側にのみ連通孔を形成し、整流室間を仕切るように設置されている。このように整流板１１２ｂ、１１２ｃと配置することにより、水面が整流される。
【００３５】
調整マス１１２Ａに送水管１１３から揚水すると、上下方向に調整可能な調整セキ１１２ａにより、一定水量のみ移送管１１５を介し嫌気ろ槽第１室１２に排水を送ることができ、一定水量を超える排水は戻管１１２Ｂを介し流量調整槽１１の底部側に戻るようになっている。
なお、本実施例の調整マス１１２Ａにおいては、調整マス１１２Ａの平面視左右両側に対応するように揚水ポンプ１１１が設けられ、各揚水ポンプ１１１に接続された送水管１１３から調整せき１１２Ａの左右両側に形成されている第１番目の調整室に汚水が供給される。供給された汚水の一定量が整流板１１２ｂ、１１２ｃの上下の連通孔を介し移送管１１５側に送られるとともに、一定量以上の汚水は戻管１１２Ｂを介し流量調整槽１１の底部側に戻るようになっている。なお、各揚水ポンプ１１１は自動交互運転を行い、想定量以上の流入があった場合にのみ２台同時運転を行う。
【００３６】
次に、上述の構成の排水処理槽１における水の流れを説明する。
排水は、コンテナ外よりポンプ等によって送水され、コンテナ３内の流量調整槽１１に矢印４１に示すように導入される。なお、図１、図２では流量調整槽１１に排水を導入する位置に配管の記載を略しているが、実際の矢印４１の位置にはコンテナ３の側壁３Ｂを貫通するように排水用の導入管が設けられている。この導入管はコンテナ３の外部に設けられているトイレ等からの屎尿排水が導入されるか、コンテナ３の外部に設けられている浴槽ユニット、シャワーユニット、洗濯ユニット、炊事場ユニット等からの排水が導入される。
流量調整槽１１内に貯水された排水は、揚水ポンプ１１１により、送水調整装置１１２に揚水され、適正水量を嫌気ろ槽第１室１２に移流し、それ以外の余剰水量は戻管１１２Ｂを介し流量調整槽１１内に落水される。
【００３７】
嫌気ろ槽第１室１２に移流した排水は、固液分離・嫌気処理され、嫌気ろ槽第２室１３に移流し、同様に嫌気ろ槽第２室１３でも固液分離・嫌気処理され、担体流動槽１４に移流する。
嫌気ろ槽第１室１２では、固形分がスカムとして、またはろ床に捕捉汚泥として、または、堆積汚泥として貯留されるが、送水調整装置１１２によって適正水量を流入させるため、これらの固形物が嫌気ろ槽第２室１３に流出することはない。また、嫌気ろ槽第２室１３内においても同様で、固形物が担体流動槽１４に流出することはない。
【００３８】
担体流動槽１４では、ブロワ２から散気部材１４Ｂを介して供給された酸素によって好気処理され、処理後の排水が沈殿槽１５に移流する。沈殿槽１５で固液分離された後、上澄水が消毒槽１６に移流し、消毒されて矢印４２に示すように外部に放流される。
【００３９】
以上説明のように排水を浄化処理して消毒済みの排水を矢印４２に示すように排出できる。本実施例の排水処理システムは、流量調整槽１１と浄化処理槽１０とブロア２をコンテナ３の内部に設けてコンテナ３の内部で排水の浄化消毒を行うことができるので、災害地やイベント会場、工事現場等において、浄化設備を簡単には構築できない場所において、コンテナ３を設置可能な場所であれば、排水浄化処理を行うことができる。
また、コンテナ３内の浄化処理槽１０は、ポンプからの排水の圧送があっても、流量調整槽１１によって流量調整された排水が供給されて所定の浄化機能を発揮でき、十分な浄化処理を行うことができる。このため、設置場所に移動後極めて短期間で、性能の安定した移動式排水処理システムを提供できる。
【００４０】
特に、前回特定の場所で使用した後、ある程度排水処理槽１の中に排水を浄化するための菌を残した状態で、次の現場に移動し、流量調節した排水を浄化処理槽１０に供給することによって、次の現場でも浄化処理槽１０において嫌気槽と好気槽における早期の菌の増殖を見込むことができ、現場に移動後、極めて短期間で、排水処理性能を安定化することができる。
また、コンテナ３内に排水処理槽１を設置することにより、コンテナ無しの場合に比べ、浄化処理槽１０の保温性能が向上し、安定した生物処理（浄化処理）を行うことができる。
更に、コンテナ３の天井壁３Ｆにメンテナンス用の点検口３３を設けたため、コンテナ３の上方空間も利用して広いメンテナンススペースを確保することができ、メンテナンスの作業性が向上する。
【００４１】
本発明の第２実施例について図４、図５を基に以下に説明する。
第２実施例の排水処理槽１は、図４、図５に示すように流量調整槽１１と、嫌気槽および好気槽を備えた浄化処理槽１０とが、別外郭で構成されている。更に、流量調整槽１１は、その貯水容量を増すため、２つの外郭で構成されており、底部で連通しており、コンテナ３の内部にまとめて設置されている。
その他の構造において先の第１実施例の構造と同等の構造には同一符号を付し、同一部分の説明は省略する。
【００４２】
流量調整槽１１を設けたコンテナ３の内部に外郭５０Ａに囲まれて形成され、前記流量調整槽１１よりも体積の大きな予備調整槽５０が設けられている。この予備調整槽５０において流量調整槽１１に近い側の底部に流量調整槽１１の底部と連結された送水管５１が接続され、予備調整槽５０の底部と流量調整槽１１の底部は連結されて互いの間で排水が移動できるようになっている。予備調整槽５０の外郭５０Ａは流量調整槽１１の外郭１１Ａと同様に合成樹脂製であり、上下２分割構造とされ、外郭５０Ａの上下分割部分にフランジ部５０ａが形成され、このフランジ部５０ａに金具３１が取り付けられている。
予備調整槽５０と流量調整槽１１はいずれも金具３１とターンバックル３２によりコンテナ３の床面上に個々に安定支持されている。
【００４３】
流量調整槽１１を収容したコンテナ３の近傍には、それぞれ浄化処理槽１０を収容したコンテナ３が３基設置され、流量調整槽１１に設けられている送水調整装置１１２内で３つに分岐され、これら３つのコンテナ３の各浄化処理槽１０に送水管１１５によって、それぞれ接続されている。
浄化処理槽１０は複数（この実施例では３つ）の外郭１０Ａで構成され、各々に嫌気槽と好気槽が備けられており、ブロワ２と共に、同数（この実施例では３つ）のコンテナ３にそれぞれ設置されている。各コンテナ３に浄化処理槽１０が設けられており、各浄化処理槽１０の内部にそれぞれ嫌気ろ槽第１室１２と嫌気ろ槽第２室１３と担体流動槽１４と沈殿室１５と消毒室１６とが設けられ、各コンテナ３にブロア２が設けられている。
【００４４】
流量調整槽１１に備えられた送水調整装置１１２には、分配装置（図示略）が設けられており、送水先に合わせて水量が調整分配できるようになっている。そのため、流量調整槽１１以降の浄化処理槽１０では、各々で安定した浄化処理ができる。
【００４５】
また、予備調整槽５０と流量調整槽１１はそれらの底部を接続した送水管１１５により接続されているので、矢印４１に示すように排水が供給された場合、予備調整槽５０の水位と流量調整槽１１の水位は同等となる。
このため、例えば、仮に、排水が矢印４１に示すように予備調整槽５０に大量に流入した場合であっても、予備調整槽５０と流量調整槽１１に蓄えられる水量が大きいので、各コンテナ３の嫌気ろ槽第１室１２に適量の排水を供給でき、各々で安定した浄化処理ができる。
その他の作用効果については先に説明した第１実施例の汚水浄化システムと同等の作用効果を得ることができる。
【符号の説明】
【００４６】
１…排水処理槽、２…ブロワ、３…コンテナ、１０…浄化処理槽、１０Ａ…外郭、１０ａ…フランジ部、１１…流量調整槽、１１Ａ…外郭、１１ａ…フランジ部、１２…嫌気ろ槽第１室、１３…嫌気ろ槽第２室、１４…担体流動槽、１５…沈殿槽、１６…消毒槽、１７…点検口、１１１…揚水ポンプ、１１２…送水調整装置、１１２Ａ…調整マス、１１２ａ、１１２ｂ、１１２ｃ…調整セキ、１１５…送水管、２１…空気配管、２１Ａ…凸部、３１…金具、３２…ターンバックル（締結具）、３３…点検口、３４…換気口、３５…断熱材、５０…予備調整槽、５０Ａ…外郭、５０ａ…フランジ部、５１…送水管。
【図１】
2015039669.tif 000003
【図２】
2015039669.tif 000004
【図３】
2015039669.tif 000005
【図４】
2015039669.tif 000006
【図５】
2015039669.tif 000007